(57)【要約】      （修正有）【課題】防鳥用ネットを容易に取り付けることができるとともに、取付作業の安全性の高いネット取付具を提供する。【解決手段】防鳥用ネットを被取付物の表面に取り付けるネット取付具１であって、上記表面に固定される板状の取付部２と、この取付部に連結されて、上記取付部との間にネットを保持する掛止空間９が形成される掛止部３とを備え、上記取付部は、上記被取付物の表面に固定されるベース部１０と、上記ベース部に立設されるとともに、上記掛止部を連結する取付部側嵌合部１５を設けた連結部１１を備えて構成される一方、上記掛止部は、上記取付部側嵌合部に嵌合させられる掛止部側嵌合部７を備えて構成されており、上記ベース部又は／及び上記掛止部に、手指で保持できる保持部８が設けられている。【選択図】図１
0003206204.tif 000002
【実用新案登録請求の範囲】
【請求項１】
防鳥用ネットを被取付物の表面に取り付けるネット取付具であって、
上記表面に固定される板状の取付部と、この取付部に連結されて、上記取付部との間にネットを保持する掛止空間が形成される掛止部とを備え、
上記取付部は、
上記被取付物の表面に固定されるベース部と、
上記ベース部に立設されるとともに、上記掛止部を連結する取付部側嵌合部を設けた連結部を備える一方、
上記掛止部は、
上記取付部側嵌合部に嵌合させられる掛止部側嵌合部を備えて構成されており、
上記ベース部又は／及び上記掛止部に、手指で保持できる保持部が設けられている、ネット取付具。
【請求項２】
上記取付部と上記掛止部とが別部材として形成されており、
上記連結部は、上記ベース部に立設されるとともに所定間隔を開けて対向する一対の立壁部と、これら立壁部の上縁部を連結する上壁部とを備え、上記上壁部の縁部に上記取付部側嵌合部を設けて構成される一方、
上記掛止部は、上記立壁部に対接させられる一対の側壁部と、これら側壁部を上縁部で連結する天壁部とを備え、上記側壁部に上記掛止部側嵌合部が設けられるとともに、上記天壁部の縁部に上記保持部が設けられている、請求項１に記載のネット取付具。
【請求項３】
上記取付部側嵌合部は、上記上壁部の縁部に嵌合凸部を設けて構成される一方、
上記掛止部側嵌合部は、上記側壁部に上記嵌合凸部に嵌合する嵌合凹部を設けて構成されており、
上記嵌合凸部が、取付部材側の保持部を兼用するとともに、
上記天壁部の縁部に、外方へ突出する凸部からなる掛止部側保持部が設けられている、請求項２に記載のネット取付具。
【請求項４】
上記保持部の中央部に、当接させられる手指との間に上記ネットを挟圧して保持できるネット保持凹部が設けられている、請求項３に記載のネット取付具。
【請求項５】
防鳥用ネットを被取付物の表面に取り付けるネット取付具であって、
上記表面に固定される板状の取付部と、この取付部に開閉可能に連結されて、上記取付部との間にネットを保持する掛止空間が形成される掛止部とを備え、
上記掛止空間を構成する上記取付部と上記掛止部の一側縁部が、上記取付部と上記掛止部とを開閉回動させるヒンジ構造を介して連結されているとともに、
上記取付部と上記掛止部の他側縁部に、互いに着脱可能に嵌合できる嵌合部が形成されている、ネット取付具。
【請求項６】
上記取付部と上記掛止部とが別部材として形成されており、
上記一側縁部に、互いに嵌合して上記ヒンジ構造を構成する取付部側嵌合部と掛止部側嵌合部とを設けた、請求項５に記載のネット取付具。
【請求項７】
上記一側縁部に、上記取付部と上記掛止部とを開閉回動させるインテグラルヒンジを備えて構成されている、請求項５に記載のネット取付具。
【請求項８】
上記取付部又は上記掛止部に、手指で保持できる保持部が設けられている、請求項５から請求項７のいずれか１項に記載のネット取付具。
【請求項９】
上記取付部及び／又は上記掛止部に、上記ネットを仮止めできる仮止め部が設けられている、請求項１から請求項８のいずれか１項に記載のネット取付具。
【請求項１０】
上記取付部の裏面に、凹凸模様が形成されている、請求項１から請求項９のいずれか１項に記載のネット取付具。
【考案の詳細な説明】
【技術分野】
【０００１】
本願考案は、ネット取付具に関する。詳しくは、防鳥用のネットを壁面等に容易に取り付けることができるネット取付具に関する。
【背景技術】
【０００２】
近年、市街地において鳥害が発生することが多い。特に、マンションのベランダ等にハトやカラスが飛来すると、糞尿の問題も発生する。また、糞尿によってアレルギー症状が出たり、鳥インフルエンザに感染している恐れもあり、衛生上の問題のみならず健康被害を受ける恐れも高まっている。
【０００３】
鳥類の飛来を防止するため種々の機器や装置が開発されている。特に、マンションのベランダ等において、鳥類の飛来を確実に防止できる手法として、防鳥用のネットを設ける場合が多い。上記防鳥用のネットは、ベランダを囲むように広い範囲に取り付ける必要があり、種々の取付具が提供されている。
【先行技術文献】
【特許文献】
【０００４】
【特許文献１】特開２０１５−１４４５９５号公報
【特許文献２】特開２０１３−２４７８６５号公報
【考案の開示】
【考案が解決しようとする課題】
【０００５】
上記特許文献１に記載された発明は、壁面に貼着等されたベース部上に、ネットを掛止できるフックを設けて構成されている。上記フックは、ネットを押し入れることにより、挿入口が弾性的に拡開するように構成されている。
【０００６】
ところが、ネットを構成する糸の太さが大きい場合、上記フック内に挿入するのに力を要することになる。また、複数の糸を束ねて取り付けるのは困難である。一方、ネットの太さが、上記挿入口より小さい場合、風等によってネットの糸が上記フックから外れる恐れが高くなる。
【０００７】
上記問題を解決するため、特許文献２に記載されているように、ベース部材とクリップ部材を用いて、ネットを取り付けるネット取付装置が提供されている。
【０００８】
ネット取付具をベース部材とクリップ部材の２つの部材で構成した場合、まず、ベース部材を接着剤やねじによって壁面等に固定する。その後、一方の手でネットをベース部材上に位置決めして保持し、その後、もう一方の手で保持した上記クリップ部材を上記ベース部材に連結する必要がある。
【０００９】
ベランダにおいては、防鳥ネットの上縁部は、上階のベランダの下面等の高所に取り付けられる場合が多い。このため、はしご等を用いて上記ネットの取付作業が行われることも多い。ところが、高層住宅のベランダは高所にあり、上記ネットを取り付けるのに、両手を必要とすると、取付作業の安全性を確保するのが困難になる。しかも、マンション等のベランダに防鳥ネットを設ける場合、ベランダの開口部の全域を覆う必要がある。このため、両手が塞がると、防鳥ネットの取付作業の危険性が高まる。
【００１０】
さらに、防鳥ネットを上記ネット取付具に対して１度の取付操作によって、見栄えよく設置できない場合がある。たとえば、見栄えよくネットを設置するためには、ネットを弛みなく取り付ける必要があり、上記ネット取付具に対する取付位置を調整したり、変更する必要がある場合も多い。
【００１１】
ところが、上記特許文献２に記載されているネット取付装置では、ネットの取付位置の調整や変更を行うには、上記クリップ部材をいちいち取り外す必要がある。このため、不慣れな者が作業を行うのは困難である。
【００１２】
本願考案は、上記不都合を回避でき、防鳥用ネットを容易に取り付けることができるとともに、取付作業の安全性の高いネット取付具を提供することを課題とする。
【課題を解決するための手段】
【００１３】
本願考案は、防鳥用ネットを被取付物の表面に取り付けるネット取付具であって、上記表面に固定される板状の取付部と、この取付部に連結されて、上記取付部との間にネットを保持する掛止空間が形成される掛止部とを備えて構成される。上記取付部は、上記被取付物の表面に固定されるベース部と、上記ベース部に立設されるとともに、上記掛止部を連結する取付部側嵌合部を設けた連結部を備えて構成される。一方、上記掛止部は、上記取付部側嵌合部に嵌合させられる掛止部側嵌合部を備えて構成されており、上記ベース部又は／及び上記掛止部に、手指で保持できる保持部が設けられている。
【００１４】
上記取付部と上記掛止部とは、別部材として形成することもできるし、一体的に形成することもできる。また、別部材として形成した後に、一方の縁部を開閉回動可能に連結して一体化することもできる。なお、上記取付部及び上記掛止部を形成する材料は特に限定されることはないが、屋外に設置することから耐候性の高い材料で形成するのが好ましい。たとえば、ＡＳＡ樹脂（アクリロニトリル、スチレン、アクリル酸メチル共重合体）や、硬質塩化ビニル等の樹脂材料で形成することができる。
【００１５】
上記取付部と上記掛止部とを別部材として形成する場合、上記連結部を、上記ベース部に立設されるとともに所定間隔を開けて対向する一対の立壁部と、これら立壁部の上縁部を連結する上壁部とを備えて構成し、上記上壁部の縁部に上記取付部側嵌合部を設けて構成することができる。
【００１６】
一方、上記掛止部を、上記立壁部に対接させられる一対の側壁部と、これら側壁部を上縁部で連結する天壁部とを備え、上記側壁部に上記掛止部側嵌合部を設けるとともに、上記天壁部の縁部に上記保持部を設けて構成できる。
【００１７】
上記取付部側嵌合部と上記掛止部側嵌合部の形態は特に限定されることはない。たとえば、上記取付部側嵌合部を、上記上壁部の縁部に嵌合凸部を設けて構成する一方、上記掛止部側嵌合部を、上記側壁部に上記嵌合凸部に嵌合する嵌合凹部を設けて構成することができる。
【００１８】
上記保持部の形態も特に限定されることはない。上記保持部として、たとえば、上記天壁部の縁部に、外方へ突出する凸部からなる上記保持部を設けることができる。上記凸部の形態も特に限定されることはなく、上記縁部に沿う凸条や、滑り止めの凹凸状の保持部を設けることもできる。
【００１９】
また、上記取付部の上壁部に側方に延出する上記嵌合凸部を設けることにより、上記嵌合凸部を手指で握持して取付部の取付作業を行うことが可能となる。このため、上記嵌合凸部を、取付部側の保持部として機能させることができる。特に、上記取付部の寸法が小さいため、接着剤で壁面等に固定する場合、接着剤が手指に付着しやすい。上記上壁部の縁部に、上記天壁部の縁部に設けたのと同様の保持部を設けることにより、取付作業性が向上するとともに、安全性も高まる。
【００２０】
上記取付部と上記掛止部とを別部材として形成した場合、ネットを取り付ける際に、上記掛止部とネットの双方を手指で保持する必要がある。このため、両手が塞がって、作業の安全性が確保できない恐れがある。
【００２１】
上記不都合を回避するため、上記保持部の中央部に、当接させられる手指との間に上記ネットを挟圧して保持できるネット保持凹部を設けるのが好ましい。上記ネット保持凹部を設けることにより、上記ネット保持凹部にネット糸を位置させ、上記掛止部を握持する手指でネットの糸を、共に挟持することが可能となる。このため、片手で上記取付部と上記掛止部とを連結してネットを取り付けることが可能となり、安全性が向上する。
【００２２】
上述した形態では、取付部を壁面等に固定してから、掛止部を取り付けたが、上記取り付け部と上記掛止部とを一体的に形成することもできる。
【００２３】
すなわち、ネット取付具を、上記表面に固定される板状の取付部と、この取付部に開閉可能に連結されて、上記取付部との間にネットを保持する掛止空間が形成される掛止部とを備え、上記掛止空間を構成する上記取付部と上記掛止部の一側縁部が、上記取付部と上記掛止部とを開閉回動させるヒンジ構造を介して連結されているとともに、上記取付部と上記掛止部の他側縁部に、互いに着脱可能に嵌合できる嵌合部を形成して構成できる。
【００２４】
上記取付部と上記掛止部とをヒンジ構造で連結することにより、上記取付部と上記掛止部とを、壁面等に一体的に取り付けることができる。このため、取付部を取り付けた後に、ネットのみを握持して取り付け作業を行うことができる。このため、作業性が向上するばかりでなく、安全性も高まる。
【００２５】
上記ヒンジ構造の構成は特に限定されることはない。たとえば、上記取付部と上記掛止部とを別部材として形成し、上記一側縁部に、互いに嵌合して上記ヒンジ構造を構成する取付部側嵌合部と掛止部側嵌合部とを設けることができる。
【００２６】
また、上記一側縁部に、上記取付部と上記掛止部とを開閉回動させるインテグラルヒンジを備えて構成することができる。インテグラルヒンジによって上記取付部と上記掛止部とを一体的に形成すると、製造工程及び部品点数を削減することが可能となる。上記インテグラルヒンジは、成形体に変形可能な薄肉部を設けることにより、ヒンジ構造とするものである。
【００２７】
また、上記取付部と上記掛止部とを別部材とした場合にも、上記掛止部の一側にインテグラルヒンジを設け、上記取付部と上記掛止部を組み付けて一体化することもできる。上記インテグラルヒンジを設けることができる樹脂材料は変形能が高い材料に限られているため、剛性の低いものが多い。一方、ベース部の取付強度を確保するには、剛性の高い材料を採用するのが好ましい。上記取付部と上記掛止部とを別の材料から形成し、上記掛止部内に上記インテグラルヒンジを設けることにより、上記不都合を回避することが可能となる。
【００２８】
上記ネット取付具を取り付ける際の安全性を高めるために、上記取付部又は上記掛止部に、手指で保持できる保持部を設けるのが好ましい。上記保持部の形態は特に限定されることはなく、上述したように上記掛止部の縁部に凸部を設けて構成することもできる。また、上記取付部に突起状の保持部を設けることもできる。
【００２９】
広い範囲にネットを取り付ける場合、取付位置を調整する必要が生じる場合がある。たとえば、見栄えよくネットを取り付けるには、できるだけ弛みがないように取り付けるのが好ましい。一方、上述したように、ネットの取付位置を調節するために、上記取付部から上記掛止部を着脱すると、作業が面倒であるばかりでなく、安全性も低下する。
【００３０】
上記不都合を回避するため、上記取付部及び／又は上記ネット掛止部に、上記ネットを仮止めできる仮止め部を設けるのが好ましい。
【００３１】
上記仮止め部は、上記掛止部と上記取付部とを連結する前段階で、ネットの糸を容易に着脱できるように構成される。
【００３２】
上記仮止め部の構成は特に限定されることはない。たとえば、上記取付部や上記掛止部から延出するフック状の仮止め部を形成することができる。上記仮止め部を設ける部位は特に限定されることはない。取付部と掛止部とを別部材で形成する場合、上記取付部に設ける必要がある。一方、上記取付部と上記掛止部とを開閉回動可能に一体的に構成した場合、上記取付部と上記掛止部のいずれの部位に設けてもよい。
【００３３】
上記取付部を被取付物の表面に取り付ける手法は特に限定されることはない。たとえば、接着剤やネジ等を用いて取り付けることができる。また、両面粘着テープ等によって固定することもできる。
【００３４】
接着剤で取り付ける場合、上記取付部の裏面に、凹凸模様を形成しておくのが好ましい。上記凹凸模様の形態も特に限定されることはなく、接着力を高める形態であれば、特に限定されることはない。
【考案の効果】
【００３５】
防鳥用のネットを安全かつ確実に壁面等に取り付けることができる。
【図面の簡単な説明】
【００３６】
【図１】本願考案の第１の実施形態に係るネット取付具の連結前の分解斜視図である。
【図２】図１に示すネット取付具の取付部の正面図である。
【図３】図１に示すネット取付具の取付部の側面図である。
【図４】図１に示すネット取付具の取付部の平面図である。
【図５】図１に示すネット取付具の取付部の底面図である。
【図６】図４におけるＶＩ−ＶＩ線に沿う断面図である。
【図７】図１に示す掛止部の正面図である。
【図８】図１に示す掛止部の側面図である。
【図９】図１に示す掛止部の平面図である。
【図１０】図１に示す掛止部の底面図である。
【図１１】図１に示すネット取付具にネットを取り付けた状態を示す斜視図である。
【図１２】図１に示すネット取付具によって壁面にネットを取付た状態を示す図である。
【図１３】本願考案の第２の実施形態に係るネット取付具の掛止部の斜視図である。
【図１４】図１３に示す掛止部にネットの糸を保持して握持した状態を示す図である。
【図１５】本願考案の第３の実施形態に係るネット取付具の取付部の斜視図である。
【図１６】図１５に示すネット取付具にネットを仮止めした状態を示す図である。
【図１７】本願考案の第４の実施形態に係るネット取付具の斜視図である。
【図１８】図１７におけるＸＶＩＩＩ−ＸＶＩＩＩ線に沿う要部断面を示す側面図である。
【図１９】図１７に示すネット取付具の取付部と掛止部とを連結して掛止空間を構成した状態を示す斜視図である。
【図２０】本願考案の第５の実施形態に係るネット取付具の斜視図である。
【図２１】図２０に示すネット取付具の要部断面を示す側面図である。
【考案を実施するための形態】
【００３７】
以下、本願考案の実施形態を図に基づいて説明する。
【００３８】
図１から図１２に、本願考案に係るネット取付具の第１の実施形態を示す。
【００３９】
本実施形態に係るネット取付具１は、壁面等に固定される取付部２と、上記取付部２に連結される掛止部３とを備えて構成される。
【００４０】
上記取付部２は、被取付部材の表面に固定される板状のベース部１０と、上記ベース部１０に立設されるとともに、上記掛止部３を連結する取付部側嵌合部１５，１５を設けた連結部１１とを備えて構成される。
【００４１】
上記連結部１１は、  上記ベース部１０に立設されるとともに所定間隔を開けて対向する一対の立壁部１２，１４と、これら立壁部の上縁部を連結する上壁部１３とを備え、上記上壁部１３の縁部に上記取付部側嵌合部１５，１５を設けて構成される。上記取付部側嵌合部は、上記上壁部１３の縁部に嵌合突起１５ａ，１５ａを設けて構成される。
【００４２】
上記掛止部３は、上記立壁部１２，１４に対接させられる一対の側壁部４，６と、これら側壁部４，６を上縁部で連結する天壁部５とを備え、上記側壁部４，６に上記掛止部側嵌合部７，７が設けられている。本実施形態に係る上記掛止部側嵌合部７，７は、上記側壁部４，６に、上記嵌合突起１５ａ，１５ａを収容できる嵌合凹部７ａ，７ａを設けて構成される。
【００４３】
上記ベース部１０の背面には、図５及び図６に示すように、凹凸模様１８が形成されている。上記凹凸模様１８を形成することにより、接着剤を用いて固定する場合の接着強度を高めている。また、上記ベース部１０における上記連結部１１を設けた部分の両側部に、取付穴１６，１７が形成されている。上記取付穴１６，１７は、上記取付部２をネジ止めする場合に用いられる。また、上記取付穴１６，１７を、貫通状に形成することにより、上記取付部２を、接着剤を用いて取り付ける場合、接着剤を上記取付穴１６，１７の表面側に膨出して固化させることにより、取付強度を確保できるように構成されている。
【００４４】
上記掛止部３の上記一対の側壁部４，６の内面には、上記掛止部３を上記取付部２に取り付けた場合に、ネットの糸を保持する掛止空間９を確保するためのスペーサ部１９，１９が設けられている。上記スペーサ部１９，１９は、下端部が上記連結部１１の上壁部１３に当接して、上記上壁部１３と上記天壁部５の間に所要の掛止空間が形成されるように構成されている。
【００４５】
上記天壁部５の上記側壁部４，６が延出する側縁部に、一対の保持部８，８が形成されている。本実施形態では、上記保持部８，８は、上記天壁部５の縁部を延出させて所定長さの突起８ａ，８ａを設けて構成されている。上記保持部８，８を設けることにより、この部分を手指で摘んで、上記掛止部３を確実に保持することができる。また、上記嵌合凹部７ａ，７ａが、上記嵌合突起１５ａ，１５ａに嵌合する際、上記側壁部４，６は弾性的に拡開させられるが、上記保持部８，８は変形が生じない天壁部５の側縁部に形成されているため、上記保持部８，８に手指から挟圧力を作用させても、上記拡開変形が阻害されることはない。
【００４６】
図１１に示すように、上記取付部２と上記掛止部３との間に形成される掛止空間９にネット３１の網目を構成する糸が保持されることにより、ネット３１が壁面等に取り付けられる。図１２に示すように、上記ネット取付具１は、所定間隔で壁面４１等に設けられて、ネット３１を所定間隔で保持するように取り付けられる。
【００４７】
図１３及び図１４に、本願考案の第２の実施形態を示す。
【００４８】
図１３に示すように、本実施形態では、掛止部２０３の天壁部２０５の四方の縁部に、保持部２０８，２０８，２４１，２４１を延出形成している。そして、上記側壁部２０４，２０６を設けていない側の縁部、すなわち掛止空間４０９が開口される側の縁部に設けた上記保持部２４１，２４１の中央部に、ネット保持凹部２４２，２４２を設けている。
【００４９】
図１４に示すように、上記掛止空間４０９にネットの糸を通すとともに、上記ネット保持凹部にネット２３１の糸を位置させ、上記ネット２３１の糸を、上記天壁部２０５の保持部２４１，２４１との間で挟圧するようにして保持することができる。
【００５０】
上記構成を採用することにより、ネット２３１と掛止部２０３とを片手で一体的に保持して、ネットの取付作業を行うことが可能となり、作業性が向上するのみならず、取付作業の安全性を確保できる。
【００５１】
図１５に、本願考案の第３の実施形態を示す。
【００５２】
本実施形態は、第１の実施形態における取付部３０２に設けた連結部１１の上壁部５に、ネットを仮止めできる仮止め部３５１を設けたものである。なお、上記仮止め部３５１以外の構成は、図１に示す第１の実施形態と同様であるので説明は省略する。
【００５３】
上記仮止め部３５１は、上記上壁部５の上面に、ネットの糸を着脱容易に掛止できるフックを立設して構成される。上記仮止め部３５１の形態は限定されることはなく、種々の形態の仮止め部を設けることができる。
【００５４】
図１６に示すように、ネット３３１を上記仮止め部３５１に掛止して保持させた後、掛止部３を連結することができる。このため、上記掛止部３を連結する前にネットの取付位置を容易に調節することが可能となり、ネットを見栄えよく設置することができる。
【００５５】
図１７から図１９に、本願の第４の実施形態を示す。
【００５６】
この実施形態は、取付部４０２と掛止部４０３とを開閉回動可能に形成したものである。
【００５７】
図１７及び図１８に示すように、本実施形態では、掛止空間を構成する上記取付部４０２と上記掛止部４０３の一側縁部が、上記取付部４０２と上記掛止部４０３とを開閉回動させるヒンジ構造を介して連結されているとともに、上記取付部４０２と上記掛止部４０３の他側縁部に、互いに着脱可能に嵌合できる嵌合部４１５，４０７が形成されている。
【００５８】
本実施形態では、上記一側縁部に、上記取付部４０２と上記掛止部４０３とを開閉回動させるインテグラルヒンジ４５０を備えて構成されている。上記インテグラルヒンジは、上記ベース部４１０から立設する立壁部４１４と、上記掛止部４０３側の側壁部４０４の間に薄肉部を設けて構成される。一方、上記他側縁部には、第１の実施形態と同様に、取付部側に嵌合凸部４１５を設けるとともに、掛止部側に上記嵌合凸部４１５を嵌合させる嵌合凹部４０７が設けられている。
【００５９】
上記構成を採用すると、壁面等へ取付部と掛止部とを一回の作業で取り付けることが可能となる。また、第１の実施形態のように、ネットを取り付ける際に、掛止部とネットの双方を保持する必要がなくなり、作業性が向上する。しかも、ネットのみを保持して取付作業を行うことができるため、安全性をも向上する。
【００６０】
図２０及び図２１に、本願考案の第５の実施形態を示す。この実施形態では、取付部５０２と掛止部５０３とを別部材で成形し、これら部材を開閉回動可能に連結したものである。
【００６１】
接着剤を用いて取付部５０２を壁面等に取り付ける場合、取付強度を高めるために、ベース部５１０の剛性を高めるのが好ましい。第４の実施形態のように、インテグラルヒンジを含むネット取付具の全体を一体成形すると、ベース部も同じ材料で成形することになる。ところが、インテグラルヒンジを構成するには、ある程度柔軟な樹脂材料を選択する必要がある。また、ポリエチレン等を採用した場合、接着性を確保するのが困難な場合もある。
【００６２】
第５の実施形態では、ベース部５１０を硬質な樹脂材料で形成する一方、掛止部５０３を柔軟な材料で形成し、掛止部５０３の側壁部５０４にインテグラルヒンジ５５０を設けている。
【００６３】
上記インテグラルヒンジ５５０を設けた部位の外側には、上記ベース部５１０に設けた質壁部に連結するための連結構造が設けられる。本実施形態では、上記掛止部５０３側に、係合凸部５５１を設けるとともに、上記取付部５０２側に、上記係合凸部を脱落不可能に連結する係合凹部５６０を設けている。上記取付部５１０は、剛性や耐候性が高く、また接着性能の高い、ＡＳＡ樹脂（アクリロニトリル、スチレン、アルリル酸メチル共重合体）や、硬質塩化ビニル等の樹脂材料で形成される一方、上記掛止部５０３は、耐候性及び柔軟性の高いポリエチレン等の柔軟な材料で形成することが可能となる。これにより、ベース部の剛性に高い剛性及び接着性を確保しながら、インテグラルヒンジを採用することが可能となる。
【００６４】
本願考案の範囲は、上述の実施形態に限定されることはない。今回開示された実施形態は、すべての点で例示であって、制限的なものでないと考えられるべきである。本願考案の範囲は、上述した意味ではなく、実用新案登録請求の範囲によって示され、実用新案登録請求の範囲と均等の意味及び範囲内でのすべての変更が含まれることが意図される。
【産業上の利用可能性】
【００６５】
防鳥用ネットを容易に、かつ安全に取り付けることができるネット取付具を提供できる。
【符号の説明】
【００６６】
１  ネット取付具
２  取付部
３  掛止部
９  掛止空間
８  保持部
７  掛止部側嵌合部
１０  ベース部
１１  連結部
１５  取付部側嵌合部
３１  防鳥用ネット
４１  被取付物の表面（壁面）
【図１】
0003206204.tif 000003
【図２】
0003206204.tif 000004
【図３】
0003206204.tif 000005
【図４】
0003206204.tif 000006
【図５】
0003206204.tif 000007
【図６】
0003206204.tif 000008
【図７】
0003206204.tif 000009
【図８】
0003206204.tif 000010
【図９】
0003206204.tif 000011
【図１０】
0003206204.tif 000012
【図１１】
0003206204.tif 000013
【図１２】
0003206204.tif 000014
【図１３】
0003206204.tif 000015
【図１４】
0003206204.tif 000016
【図１５】
0003206204.tif 000017
【図１６】
0003206204.tif 000018
【図１７】
0003206204.tif 000019
【図１８】
0003206204.tif 000020
【図１９】
0003206204.tif 000021
【図２０】
0003206204.tif 000022
【図２１】
0003206204.tif 000023